(57)【要約】【課題】タッチスクリーンを有する前面フィルタと、これを備えたプラズマディスプレイ装置を提供する。【解決手段】フィルム状である前面フィルタ１３０は、反射防止膜１５０、光特性膜１５２、タッチスクリーン１５６およびＮＩＲ遮蔽膜１５８を備える。各膜１５０、１５２、１５６、１５８の間には、接着層が形成される。反射防止膜１５０は、前面フィルタ１３０の表面に形成され、外部から入射する光の反射を防止してＰＤＰのコントラストを向上させる。光特性膜１５２は、パネルから入射する可視光のうち、赤色および緑色の輝度を低くしながら、青色の輝度を高くしてＰＤＰの光特性を改善する。タッチスクリーン１５６は、電磁障害を遮蔽してパネルから入射する電磁障害の外部への放出を防止する。パネル上にタッチスクリーンを設けることにより、別の入力手段を設けることなく即座に特定の命令を入力することができる。【選択図】図８
2004272920.tif 000002
【特許請求の範囲】
【請求項１】
パネルの前面に設けられた前面フィルタにおいて、タッチ点に対する座標信号を生成するタッチスクリーンを備えることを特徴とする前面フィルタ。
【請求項２】
前記タッチスクリーンは、電磁障害を遮蔽することを特徴とする請求項１に記載の前面フィルタ。
【請求項３】
前記前面フィルタは、フィルム状フィルタであることを特徴とする請求項１に記載の前面フィルタ。
【請求項４】
前記タッチスクリーンは、
多数の第１の電極ラインが形成された上部フィルムと、
前記多数の第１の電極ラインと交差して多数の第２の電極ラインが形成された下部フィルムと、
前記上部フィルムおよび下部フィルムが所定の距離だけ離間するようにタッチ領域に形成された多数のドットスペーサと、
を備えることを特徴とする請求項１に記載の前面フィルタ。
【請求項５】
前記多数の第１および第２の電極ラインのうちの、少なくともいずれか１つの電極ラインは、ＡｇおよびＩＴＯの二重層からなることを特徴とする請求項４に記載の前面フィルタ。
【請求項６】
前記多数の第１および第２の電極ラインのうちの、少なくともいずれか１つの電極ラインは、Ａｇからなることを特徴とする請求項４に記載の前面フィルタ。
【請求項７】
前記多数の第１および第２の電極ラインのうちの、少なくともいずれか１つの電極ラインは、ＩＴＯからなることを特徴とする請求項４に記載の前面フィルタ。
【請求項８】
前記上部フィルムおよび下部フィルムは、ポリエチレンテレフタレートからなることを特徴とする請求項４に記載の前面フィルタ。
【請求項９】
前記タッチスクリーンは、
第１の透明導電層が形成された上部フィルムと、
前記第１の透明導電層と向かい合うように第２の透明導電層が形成された下部フィルムと、
前記上部フィルムおよび下部フィルムが所定の距離だけ離間するようにタッチ領域に形成された多数のドットスペーサと、
を備えることを特徴とする請求項１に記載の前面フィルタ。
【請求項１０】
前記第１および第２の透明導電層は、ＩＴＯからなることを特徴とする請求項９に記載の前面フィルタ。
【請求項１１】
前記前面フィルタは、
外部から入射される光が外部へ反射されるのを防止する反射防止膜と、
前記パネルから入射される可視光のうち、赤色および緑色の輝度を低くすると共に青色の輝度を高くする光特性膜と、
前記パネルから放射される近赤外線を遮蔽する近赤外線遮蔽膜と、
をさらに備えることを特徴とする請求項１に記載の前面フィルタ。
【請求項１２】
上部基板と下部基板とが密着形成されたパネルと、
前記パネルの前面に設けられ、タッチ点に対する座標信号を生成するタッチスクリーンが設けられた前面フィルタと、
前記パネルを固定するシャーシベースと、
前記パネルの後面に設けられたバックカバーと、
前記前面フィルタと前記バックカバーとを電気的に接続するフロントキャビネットと、
を備えることを特徴とするプラズマディスプレイ装置。
【請求項１３】
前記タッチスクリーンは、電磁障害を遮蔽することを特徴とする請求項１２に記載のプラズマディスプレイ装置。
【請求項１４】
前記前面フィルタは、フィルム状フィルタであることを特徴とする請求項１２に記載のプラズマディスプレイ装置。
【請求項１５】
前記タッチスクリーンは、
多数の第１の電極ラインが形成された上部フィルムと、
前記多数の第１の電極ラインと交差して多数の第２の電極ラインが形成された下部フィルムと、
前記上部フィルムおよび下部フィルムが所定の距離だけ離間するようにタッチ領域に形成された多数のドットスペーサと、
を備えることを特徴とする請求項１２に記載のプラズマディスプレイ装置。
【請求項１６】
前記多数の第１および第２の電極ラインのうちの、少なくともいずれか１つの電極ラインは、ＡｇおよびＩＴＯの二重層からなることを特徴とする請求項１５に記載のプラズマディスプレイ装置。
【請求項１７】
前記多数の第１および第２の電極ラインのうちの、少なくともいずれか１つの電極ラインは、ＡｇまたはＩＴＯのうち１つからなることを特徴とする請求項１５に記載のプラズマディスプレイ装置。
【請求項１８】
前記上部フィルムおよび下部フィルムは、ポリエチレンテレフタレートからなることを特徴とする請求項１５に記載のプラズマディスプレイ装置。
【請求項１９】
前記タッチスクリーンは、
第１の透明導電層が形成された上部フィルムと、
前記第１の透明導電層と向かい合うように第２の透明導電層が形成された下部フィルムと、
前記上部フィルムおよび下部フィルムが所定の距離だけ離間するようにタッチ領域に形成された多数のドットスペーサと、
を備えることを特徴とする請求項１２に記載のプラズマディスプレイ装置。
【請求項２０】
前記第１および第２の透明導電層は、ＩＴＯからなることを特徴とする請求項１９に記載のプラズマディスプレイ装置。
【発明の詳細な説明】
【技術分野】
【０００１】
本発明は、プラズマディスプレイ装置に関し、特に、タッチスクリーンを有する前面フィルタとこれを備えたプラズマディスプレイ装置に関する。
【背景技術】
【０００２】
プラズマディスプレイパネル（Plasma Display Panel：以下「ＰＤＰ」という。）は、Ｈｅ＋Ｘｅ、Ｎｅ＋ＸｅまたはＨｅ＋Ｎｅ＋Ｘｅなどの不活性混合ガスの放電時に発生する１４７ｎｍの紫外線により蛍光体を励起させ、赤色、緑色および青色を発光させることで、文字またはグラフィックを含む画像を表示する。このようなＰＤＰは、薄膜化および大型化が容易であると共に最近の技術開発によって高画質の画面が実現されている。特に、交流型３電極面放電ＰＤＰは、放電時に表面に壁電荷が蓄積され、放電で発生するスパッタリングから電極を保護することで低電圧駆動と長寿命化ができるという長所を有している。
【０００３】
図１は、従来のプラズマディスプレイパネルの放電セルの構造を示す斜視図である。
同図に示されたように、従来の交流型３電極面放電ＰＤＰの放電セルは、上部基板１０上に形成されたスキャン電極Ｙおよびサステイン電極Ｚと、下部基板１８上に形成されたアドレス電極Ｘとを備える。スキャン電極Ｙとサステイン電極Ｚは、それぞれ透明電極１２Ｙ、１２Ｚと、透明電極１２Ｙ、１２Ｚの線幅より小さな線幅を有し、透明電極の一側縁に形成される金属材のバス電極１３Ｙ、１３Ｚとを含む。
【０００４】
透明電極１２Ｙ、１２Ｚは、通常、ＩＴＯ（Indium−Tin−Oxide）の混合物質からなる。金属材のバス電極１３Ｙ、１２Ｚは、通常、クロム（Ｃｒ）などの金属物質からなり、透明電極１２Ｙ、１２Ｚ上に形成され、抵抗の高い透明電極１２Ｙ、１２Ｚによる電圧降下を低減させる役割をする。スキャン電極Ｙとサステイン電極Ｚとが並んで形成された上部基板１０には、上部誘電体層１４および保護層１６が積層される。上部誘電体層１４には、プラズマ放電時に発生した壁電荷が蓄積される。保護層１６は、プラズマ放電時に発生したスパッタリングによる上部誘電体層１４の損傷を防止すると共に二次電子の放出効率を向上させる役割をする。保護層１６としては、通常、酸化マグネシウム（ＭｇＯ）が使用される。
【０００５】
アドレス電極Ｘが形成された下部基板１８上には、下部誘電体層２２および隔壁２４が形成される。下部誘電体層２２と隔壁２４の表面には、蛍光体層２６が塗布される。アドレス電極Ｘは、スキャン電極Ｙおよびサステイン電極Ｚと交差する方向に形成される。隔壁２４は、ストライプ状または格子状に形成され、放電で生成された紫外線および可視光の隣接する放電セルへの漏れを防止する。蛍光体層２６は、プラズマ放電時に発生した紫外線により励起され、赤色、緑色および青色の可視光線を発生する。上・下部基板１０、１８と隔壁２４との間に設けられた放電空間には、不活性混合ガスが注入される。
【０００６】
ＰＤＰは、画像の階調を表現するため、１フレームを発光回数の異なる複数のサブフィールドに分けて時分割駆動することとなる。各サブフィールドは、全画面を初期化させるためのリセット期間と、スキャンラインを選択し、選択されたスキャンラインから特定のセルを選択するためのアドレス期間と、放電回数によって階調を具現するサステイン期間と、に分けられる。
【０００７】
例えば、２５６階調で画像を表示しようとする場合、図２のように、１／６０秒に相当するフレーム期間（１６．６７ｍｓ）は、８つのサブフィールドＳＦ１〜ＳＦ８に分けられる。８つのサブフィールドＳＦ１〜ＳＦ８のそれぞれは、前述のように、リセット期間、アドレス期間およびサステイン期間に分けられる。各サブフィールドのリセット期間とアドレス期間は、各サブフィールド毎に同様であるが、サステイン期間は、各サブフィールドにおいて２ｎ（ｎ＝０、１、２、３、４、５、６、７）のレートで増加する。
【０００８】
このようなＰＤＰにおいては、上部基板１０の前面に、電磁波を遮蔽すると共に外部光の反射を防止するための前面フィルタが設けられている。
【０００９】
図３は、従来のプラズマディスプレイ装置の一部を概略的に示す断面図である。
同図に示されたように、従来のプラズマディスプレイ装置は、上部基板１０と下部基板１８とが密着形成されるパネル３２と、パネル３２の前面に設けられる前面フィルタ３０と、パネル３２を支持すると共に印刷回路基板が取り付けられるシャーシベース３６と、シャーシベース３６の前面に取り付けられる放熱板３４と、パネル３２の後面に設けられたバックカバー３８と、バックカバー３８と前面フィルタ３０とを電気的に接続させるフロントキャビネット４５とを備えてなる。
【００１０】
フロントキャビネット４５は、前面フィルタ３０とバックカバー３８とを電気的に接続させるためのフィルタ支持部４０と、前面フィルタ３０とバックカバー３８を固定支持する支持部材４２とを含む。フィルタ支持部４０は、前面フィルタ３０の背面側がパネル３２から所定の距離だけ離間するように支持する。また、フィルタ支持部４０は、前面フィルタ３０に含まれるＥＭＩ（Electromagnetic interference:電磁障害）遮蔽膜をグランド電源に接地されたバックカバー３８に電気的に接続させることで、ＥＭＩ遮蔽膜からＥＭＩ信号を放電させる。また、フィルタ支持部４０は、側面からＥＭＩが放出されるのを防止する。
【００１１】
シャーシベース３６に取り付けられた印刷回路基板は、電極（例えば、スキャン電極、サステイン電極およびアドレス電極）に駆動信号を供給する。このため、印刷回路基板は、図示していない種々の駆動部を備える。パネル３２は、印刷回路基板から供給される駆動信号に応答して所定の画像を表示する。放熱板３４は、パネル３２および印刷回路基板から発生する熱を放熱させる。バックカバー３８は、外部の衝撃からパネル３２を保護すると共に後面へ放出される電磁障害（ＥＭＩ）を遮断する。
【００１２】
前面フィルタ３０は、ＥＭＩを遮蔽すると共に外部光の反射を防止する。このため、前面フィルタ３０は、図４のように反射防止膜５０、光特性膜５２、ガラス５４、ＥＭＩ遮蔽膜５６および近赤外線（near infrared rays：以下「ＮＩＲ」という。）遮蔽膜５８を備える。ここで、実際に前面フィルタ３０の各膜５０、５２、５４、５６、５８の間には、接着層が形成され、各膜（５０、５２、５４、５６、５８）の間を接着させる。また、一般に、光特性膜５２は、接着層に特定の物質を挿入して形成される。このとき、前面フィルタ１３０の構造は、メーカーによって少しずつ異なっている。
【００１３】
反射防止膜（Antireflection Coating）５０は、外部から入射される光が外部へ反射されるのを防止することで、ＰＤＰのコントラストを向上させる。このような反射防止膜５０は、前面フィルタ３０の表面に形成される。なお、反射防止膜５０は、前面フィルタ３０の背面にさらに形成することもできる。光特性膜５２は、パネル３２から入射される光のうち青色（Ｒ）および緑色（Ｇ）の輝度を低くすると共に青色（Ｂ）の輝度を高くすることで、ＰＤＰの光特性を改善させる。
【００１４】
ガラス５４は、外部衝撃による前面フィルタ３０の破損を防止する。換言すれば、ガラス５４は、前面フィルタ３０が外部の衝撃により破損するのを防止するように前面フィルタ３０を支持する。
【００１５】
ＥＭＩ遮蔽膜５６は、電磁障害を遮蔽してパネル３２から入射される電磁障害の外部への放出を防止する。このようなＥＭＩ遮蔽膜５６の構造は、図５に示されるように、多数の第１の電極ライン６１ａおよび多数の第２の電極ライン６１ｂが互いに交差して一体化されたものである。かかる多数の電極ラインは、ブラックマトリクスのように微細な構成となっているため、画質に影響を与えない。
【００１６】
ＮＩＲ遮蔽膜５８は、パネル３２から放射される電磁障害を遮蔽してリモコンなどのようなＩＲを用いて信号を伝達する装置が、信号の正常な伝達を行えるように、基準以上の電磁障害が外部へ放出するのを防止する。なお、ＥＭＩ遮蔽膜５６およびＮＩＲ遮蔽膜５８は、１つの層で構成することができる。
【００１７】
このような前面フィルタ３０は、図６のようにフィルタ支持部４０を介してバックカバー３８と電気的に接続される。具体的に、フィルタ支持部４０は、前面フィルタ３０の一側端で前面フィルタ３０の背面に接続される。このとき、フィルタ支持部４０は、ＥＭＩ遮蔽膜５６およびＮＩＲ遮蔽膜５８の少なくとも１つ以上の膜と電気的に接続される。即ち、フィルタ支持部４０は、前面フィルタ３０をバックカバー３８に接続させることでＥＭＩおよび／またはＮＩＲを遮蔽する。
【００１８】
このような従来の前面フィルタ３０は、外部からの衝撃による前面フィルタ３０の破損を防止するためにガラス５４を使用している。このような前面フィルタをガラスタイプ前面フィルタと呼ぶ。しかし、このようにガラス５４が前面フィルタ３０に挿入されると、前面フィルタ３０の厚さが厚くなるという短所がある。また、前面フィルタ３０にガラス５４が挿入されると、その重量が重くなると共に製造コストがアップするという問題点がある。
【００１９】
前述のような問題点を解決するため、ガラスを除いた前面フィルタが提案されている。
なお、ディスプレイ装置の画面上で命令を入力するための手段として、タッチスクリーンが広く採用されている。
図７は、一般のタッチスクリーンの構造を示す図である。
タッチスクリーン７０は、第１の透明導電層７４が形成された上部フィルム７２と、第２の透明導電層７８が形成され、上部フィルム７２から離間して配置された下部フィルム７６とを備える。
【００２０】
上部フィルム７２と下部フィルム７６とは、非タッチ領域である外郭部に沿って塗布されたシール材７３により接合され、そのシール材７３の厚さ分だけ離れている。また、非タッチ領域を除いたタッチ領域において、上部フィルム７２と下部フィルム７６とを隔てるため、多数のスペーサ（図示せず）（例えば、ドットスペーサなど）が上部フィルム７２の第１の透明導電層７４、または下部フィルム７６の第２の透明導電層７８上にさらに形成される。
【００２１】
ペンまたは指で押される上部フィルム７２としては、主にポリエチレンテレフタレート（polyethylene terephthalate：ＰＥＴ）からなる透明フィルムが採用されており、下部フィルム７６としては、上部フィルムと同じ材質の透明フィルム、ガラス基板またはプラスチック基板が使用される。第１および第２の透明導電層７４、７８としては、ＩＴＯ（Indium−Tin−Oxide）、ＩＺＯ（Indium−Znic−Oxide）、ＩＴＺＯ（Indium−Tin−Znic−Oxide）のうちのいずれか１つが使用される。
【００２２】
このようなタッチスクリーン７０は、ペンまたは指で押された上部フィルム７２により第１の透明導電層７４が第２の透明導電層７８と接触すると、その接触位置に応じて抵抗値が変化する。そして、変化した抵抗値によって電流または電圧が変わるため、その変わった電流または電圧をタッチスクリーン７０は、第１の透明導電層７４に接続されたＸ電極バー７５、即ち、第１および第２のＸ電極バー７５Ａ、７５Ｂを介してＸ軸座標信号に出力し、第２の透明導電層７８に接続されたＹ電極バー７９、即ち、第１および第２の電極バー７９Ａ、７９Ｂを介してＹ軸座標信号を出力する。この場合、タッチスクリーン７０は、タッチスクリーンコントローラ（図示せず）の制御によってＸ軸座標信号とＹ軸座標信号とを順次出力する。
【発明の開示】
【発明が解決しようとする課題】
【００２３】
従って、本発明の目的は、タッチスクリーンを有する前面フィルタとこれを備えたプラズマディスプレイ装置を提供することにある。
【課題を解決するための手段】
【００２４】
上記の目的を達成するための本発明の好適な一実施例によれば、パネルの前面に設けられた前面フィルタは、タッチ点に対する座標信号を生成するタッチスクリーンを備えている。
このとき、タッチスクリーンは、電磁障害（ＥＭＩ）を遮蔽することができる。また、前面フィルタは、フィルム状フィルタであることが好ましい。
【００２５】
本発明の前面フィルタによれば、タッチスクリーンは、多数の第１の電極ラインが形成された上部フィルムと、多数の第１の電極ラインと交差して多数の第２の電極ラインが形成された下部フィルムと、上部フィルムおよび下部フィルムが所定の距離だけ離間するようにタッチ領域に形成された多数のドットスペーサと、を備えることができる。
【００２６】
このとき、多数の第１および第２の電極ラインのうちの少なくともいずれか１つの電極ラインは、ＡｇおよびＩＴＯの二重層からなることができる。また、多数の第１および第２の電極ラインのうちの少なくともいずれか１つの電極ラインは、Ａｇでもよい。さらに、多数の第１および第２の電極ラインのうちの少なくともいずれか１つの電極ラインは、ＩＴＯでもよい。
上部フィルムおよび下部フィルムは、ポリエチレンテレフタレート（ＰＥＴ）でもよい。
【００２７】
本発明の前面フィルタによれば、タッチスクリーンは、第１の透明導電層が形成された上部フィルムと、第１の透明導電層と向かい合うように第２の透明導電層が形成された下部フィルムと、上部フィルムおよび下部フィルムが所定の距離だけ離間するようにタッチ領域に形成された多数のドットスペーサと、を備えることができる。
このとき、第１および第２の透明導電層は、ＩＴＯでもよい。
【００２８】
本発明の前面フィルタは、外部から入射される光が外部へ反射されるのを防止する反射防止膜と、パネルから入射される可視光のうち赤色および緑色の輝度を低くすると共に青色の輝度を高くする光特性膜と、パネルから放射される近赤外線を遮蔽する近赤外線遮蔽膜と、をさらに備えることができる。
【００２９】
本発明の好適な他の実施形態によれば、プラズマディスプレイ装置は、上部基板と下部基板とが密着形成されたパネルと、パネルの前面に設けられ、タッチ点に対する座標信号を生成するタッチスクリーンが設けられた前面フィルタと、パネルを固定するシャーシベースと、パネルの後面に設けられたバックカバーと、前面フィルタとバックカバーとを電気的に接続するフロントキャビネットと、を備える。
【発明の効果】
【００３０】
前述のように、ＰＤＰの前面フィルタは、電磁遮蔽機能、カラー調節機能、近赤外線吸収機能などの役割をする。タッチスクリーンは、コンピュータ機能、ホームネットワーク機能、自動電源オフ機能およびインターネット機能などの役割をする。
従って、このようなタッチスクリーンをプラズマディスプレイ装置に採用することで、外部に別の入力装置を設ける必要がなく、また、消費者にアピールできると共に、高級ブランドとしての価値をアップさせることが可能となる。
【発明を実施するための最良の形態】
【００３１】
以下、添付の図面を参照して本発明の好適な実施形態を説明する。
図８は、本発明の第１の実施例に係るプラズマディスプレイ装置の前面フィルタを示す図である。
同図に示されたように、前面フィルタ１３０は、反射防止膜１５０、光特性膜１５２、タッチスクリーン１５６およびＮＩＲ遮蔽膜１５８を備える。ここで、前面フィルタ１３０は、支持のためのガラスを有しないフィルム状フィルタであることが好ましい。
【００３２】
前面フィルタ１３０の各膜１５０、１５２、１５６、１５８の間には、接着層が形成され、各膜１５０、１５２、１５４、１５６、１５８の間を接着させる働きをする。一般に、光特性膜１５２は、接着層に特定の物質を挿入して形成される。
なお、前面フィルタ１３０の構造は、メーカーによって少しずつ異なっている。本願では、説明の便宜のため、接着層を図示しておらず、現在広く使用されている前面フィルタ１３０の構造を例にして説明する。
【００３３】
反射防止膜１５０は、外部から入射される光が外部へ反射されるのを防止することでＰＤＰのコントラストを向上させる。このような反射防止膜１５０は、前面フィルタ１３０の表面に形成される。なお、無反射板１５０は、前面フィルタ１３０の背面にさらに形成されることもできる。
【００３４】
光特性膜１５２は、パネルから入射される可視光のうち赤色（Ｒ）および緑色（Ｇ）の輝度を低くしながら、青色（Ｂ）の輝度を高くすることでＰＤＰの光特性を改善する。
【００３５】
タッチスクリーン１５６は、電磁障害を遮蔽してパネルから入射される電磁障害の外部への放出を防止する。このようなタッチスクリーン１５６の構造を、図９を参照して説明する。タッチスクリーン１５６は、多数の第１の電極ライン１６１ａが形成された上部フィルム１６０ａと、上部フィルムと向かい合うように多数の第１の電極ラインと交差する方向に、多数の第２の電極ライン１６１ｂが形成された下部フィルム１６０ｂとを有する。このとき、多数の電極ラインは、ブラックマトリクスのように微細な構成となっているため、画質には影響しない。また、このようにブラックマトリクス状のように配列された多数の第１および第２の電極ライン１６１ａ、１６１ｂによって、ＥＭＩ遮蔽がなされる。
【００３６】
上部フィルム１６０ａと下部フィルム１６０ｂとは、非タッチ領域である外郭部に沿って塗布されたシール材（図示せず）により接合され、そのシール材の厚さ分だけ離間されている。また、非タッチ領域を除いたタッチ領域において上部フィルム１６０ａと下部フィルム１６０ｂとを離間させるため、多数のドットスペーサ１６２が、上部フィルム１６０ａの多数の第１の電極ライン１６１ａまたは下部フィルム１６０ｂの、多数の第２の電極ライン１６１ｂ上に、さらに形成される。
【００３７】
ペンまたは指で押される上部フィルム１６０ａの材質としては、主にポリエチレンテレフタレート（ＰＥＴ）からなる透明フィルムが使用され、下部フィルム１６０ｂの材質としては、上部フィルム１６０ａと同じ透明フィルムが使用される。第１および第２の電極ライン１６１ａ、１６１ｂの少なくともいずれか１つは、ＡｇおよびＩＴＯの二重層からなる。また、第１および第２の電極ライン１６１ａ、１６１ｂの少なくともいずれか１つは、ＡｇまたはＩＴＯからなる。
【００３８】
このようなタッチスクリーン１５６は、ペンまたは指で押された上部フィルム１６０ａによって第１の電極ライン１６１ａが第２の電極ライン１６１ｂに接触されると、その接触位置に応じて抵抗値が変化する。そして、変化した抵抗値に応じて電流または電圧が変化し、この変化した電流または電圧は、第１および第２の電極ライン１６１ａ、１６１ｂに接続された図示しない外部電極を介して、ＸおよびＹ軸座標信号に出力される。
【００３９】
換言すれば、本発明のタッチスクリーン１５６は、従来、第１および第２の電極ラインが交差して一体化したＥＭＩ遮蔽膜の構造において、第１の電極ライン１６１ａと第２の電極ライン１６１ｂとを互いに分離させ、このような第１および第２の電極ライン１６１ａ、１６１ｂをそれぞれ上・下部フィルム１６０ａ、１６０ｂに形成させる。次に、上部フィルム１６０ａと下部フィルム１６０ｂとの間に多数のドットスペーサ１６２を形成させる。従って、このようなタッチスクリーン１５６は、電磁障害を遮蔽することでパネルから入射される電磁障害が外部へ放出されるのを防止すると共に、タッチスクリーンとしての機能を行う。
ＮＩＲ遮蔽膜１５８は、パネルから放射されるＮＩＲを遮蔽してリモコンなどのようにＩＲを用いて信号を伝達する装置が、信号伝達が正常に行えるように、基準以上のＮＩＲが外部へ放出されるのを防止する。
【００４０】
図１０は、本発明の第２の実施形態に係るプラズマディスプレイパネルの前面フィルタを示す図である。
同図に示されたように、前面フィルタ２３０は、反射防止膜２５０、光特性膜２５２、タッチスクリーン２５６およびＮＩＲ遮蔽膜２５８を備える。ここで、前面フィルタ２３０は、支持のためのガラスを有しないフィルム状フィルタであることが好ましい。なお、前面フィルタ２３０の各膜２５０、２５２、２５４、２５６、２５８の間には接着層が形成され、各膜２５０、２５２、２５４、２５６、２５８の間を接着させる。また、一般に、光特性膜２５２は、接着層に特定の物質を挿入して形成される。
【００４１】
反射防止膜２５０は、外部から入射される光が外部へ反射されるのを防止することでＰＤＰのコントラストを向上させる。このような反射防止膜２５０は、前面フィルタ２３０の表面に形成される。なお、反射防止膜２５０は、前面フィルタ２３０の背面にさらに形成されることができる。
【００４２】
光特性膜２５２は、パネルから入射される光のうち赤色（Ｒ）および緑色（Ｇ）の輝度を低くすると共に、青色（Ｂ）の輝度を高くすることでＰＤＰの光特性を改善させる。
【００４３】
タッチスクリーン２５６は、電磁障害を遮蔽することでパネルから入射される電磁障害が外部へ放出されるのを防止する。このようなタッチスクリーン２５６の構造は、図１１に示されたように、第１の透明導伝装置２６１ａが形成された上部フィルム２６０ａと向かい合うように、第１の透明導電層２６１ａと交差する方向に第２の透明導電層２６１ｂが形成された下部フィルム２６０ｂとを備える。
【００４４】
上部フィルム２６０ａと下部フィルム２６０ｂとは、非タッチ領域である外郭部に沿って塗布されたシール材（図示せず）により接合され、そのシール材の高さ分だけ離間している。また、タッチ領域において上部フィルム２６０ａと下部フィルム２６０ｂとを離間させるため、多数のドットスペーサ２６２が上部フィルム２６０ａの第１の透明導電層２６１ａ、または下部フィルム２６０ｂの第２の透明導電層２６１ｂ上にさらに形成される。
【００４５】
ペンまたは指で押される上部フィルム２６０ａとしては、主にポリエチレンテレフタレート（ＰＥＴ）からなる透明フィルムが使用され、下部フィルム２６０ｂとしては、上部フィルム２６０ａと同じ透明フィルムが使用される。第１および第２の透明導電層２６１ａ、２６１ｂの材質としては、ＩＴＯが使用される。
【００４６】
このようなタッチスクリーン２５６は、ペンまたは指で押された上部フィルム２６０ａによって第１の透明導電層２６１ａが第２の透明導電層２６１ｂに接触されると、その接触位置に応じて抵抗値を変化させる。そして、変化した抵抗値に応じて電流または電圧が変化し、この変化した電流または電圧は、第１および第２の透明導電層２６１ａ、２６１ｂに接続された図示しない外部電極を介してＸおよびＹ軸座標信号に出力されることになる。
【００４７】
換言すれば、本発明のタッチスクリーン２５６は、従来、第１および第２の 透明導電層が交差して一体化したＥＭＩ遮蔽膜の構造において、第１の透明導電層２６１ａと第２の透明導電層２６１ｂとを互いに分離させ、このような第１および第２の透明導電層２６１ａ、２６１ｂをそれぞれ上・下部フィルム２６０ａ、２６０ｂに形成する。次に、上部フィルム２６０ａと下部フィルム２６０ｂとの間に多数のドットスペーサ２６２を形成する。従って、このようなタッチスクリーン２５６は、電磁障害を遮蔽することでパネルから入射される電磁障害の外部への放出を防止すると共にタッチスクリーンとしての機能を行う。
【００４８】
ＮＩＲ遮蔽膜２５８は、パネルから放射されるＮＩＲを遮蔽してリモコンなどのようにＩＲを用いて信号を伝達する装置が、信号伝達が正常に行えるように、基準以上のＮＩＲが外部へ放出されるのを防止する。
【００４９】
このようなフィルム状前面フィルタは、ガラスタイプの前面フィルタに比べて重量が軽くかつ薄型化が可能であると共に、製造コストがダウンできる長所がある。
本発明は、種々の機能を有するタッチスクリーンを前面フィルタ上に形成してプラズマディスプレイ装置に適用することで、外部に別の入力装置を設ける必要がなくなり、消費者にアピールでき、高級ブランドとしての価値が上がるという効果が得られる。
本発明は、タッチスクリーンを用いて自動位置設定および画面調節機能、色濃度調節、鮮明度調節、明るさ調節などの機能を追加させることもできる。
【産業上の利用可能性】
【００５０】
以上のように、本発明は、プラズマディスプレイ装置に取り付けられた前面フィルタ上にタッチスクリーンを備えることで、種々の機能を加えることができ、消費者にアピールでき、高級ブランドとしての価値をアップさせることができる。
以上、図面を参照して本発明の実施例を説明してきたが、本発明の保護範囲は、前述の実施例に限定されるものではなく、特許請求の範囲に記載された発明とその均等物にまで及ぶものである。
【図面の簡単な説明】
【００５１】
【図１】従来のプラズマディスプレイパネルの放電セルの構造を示す斜視図である。
【図２】一般のプラズマディスプレイパネルにおいて２５６階調を表現するためフレームを示す図である。
【図３】従来のプラズマディスプレイ装置の一部を概略的に示す断面図である。
【図４】図３に示された前面フィルタを概略的に示す断面図である。
【図５】図４に示されたＥＭＩ遮蔽膜の詳細を示す図である。
【図６】図３に示された前面フィルタとフィルタ支持部との接地過程を詳細に示す図である。
【図７】一般のタッチスクリーンの構造を示す図である。
【図８】本発明の第１の実施形態に係るプラズマディスプレイ装置の前面フィルタを示す図である。
【図９】図８に示されたタッチスクリーンの詳細を示す図である。
【図１０】本発明の第２の実施形態に係るプラズマディスプレイパネルの前面フィルタを示す図である。
【図１１】図１０に示されたタッチスクリーンの詳細を示す図である。
【符号の説明】
【００５２】
１３０、２３０    前面フィルタ
１５０、２５０    反射防止膜
１５２、２５２    光特性膜
１５６、２５６    タッチスクリーン
１５８、２５８    ＮＩＲ遮蔽膜
１６０ａ、２６０ａ    上部フィルム
１６０ｂ、２６０ｂ    下部フィルム
１６１ａ    第１の電極ライン
１６１ｂ    第２の電極ライン
１６２、２６２    ドットスペーサ
２６１ａ    第１の透明導電層
２６１ｂ    第２の透明導電層
【図１】
2004272920.tif 000003
【図２】
2004272920.tif 000004
【図３】
2004272920.tif 000005
【図４】
2004272920.tif 000006
【図５】
2004272920.tif 000007
【図６】
2004272920.tif 000008
【図７】
2004272920.tif 000009
【図８】
2004272920.tif 000010
【図９】
2004272920.tif 000011
【図１０】
2004272920.tif 000012
【図１１】
2004272920.tif 000013